(57)【要約】【課題】簡単に袋状容器の装着を行うことができる外装容器及び充填容器を提供する。【解決手段】外装容器１は、スパウト２２を有する袋状容器２０を収容して自立させるためのものである。外装容器１は、第１の側面部２と、第１の側面部２に対向する第２の側面部と、第１の側面部２と第２の側面部との間に位置する第１の側辺部４と、第１の側面部２と第２の側面部との間であって第１の側辺部４の反対側に位置する第２の側辺部５と、第１の側面部２と第２の側面部との間に設けられて袋状容器２０を外装容器１に挿入するための挿入用開口部６と、第１の側辺部４の下端よりも上方に設けられて外装容器１からスパウト２２を露出させるためのスパウト用開口部７と、を備えている。【選択図】図１
2015202878.tif 000002
【特許請求の範囲】
【請求項１】
スパウトを有する袋状容器を収容して自立させるための外装容器であって、
第１の側面部と、
前記第１の側面部に対向する第２の側面部と、
前記第１の側面部と前記第２の側面部との間に位置する第１の側辺部と、
前記第１の側面部と前記第２の側面部との間であって前記第１の側辺部の反対側に位置する第２の側辺部と、
前記第１の側面部と前記第２の側面部との間に設けられて前記袋状容器を前記外装容器に挿入するための挿入用開口部と、
前記第１の側辺部の下端よりも上方に設けられて前記外装容器から前記スパウトを露出させるためのスパウト用開口部と、
を備えたことを特徴とする外装容器。
【請求項２】
前記挿入用開口部は、前記第２の側辺部に設けられており、
前記第１の側辺部は、前記第２の側辺部に対して斜めに傾斜する傾斜部と、前記傾斜部の下部から前記外装容器の下端にまで延在する延在部と、を有し、
前記スパウト用開口部は、前記傾斜部に設けられていることを特徴とする請求項１に記載の外装容器。
【請求項３】
前記スパウト用開口部には、前記スパウトを露出させた状態で支持する支持部が設けられていることを特徴とする請求項２に記載の外装容器。
【請求項４】
前記支持部は、前記傾斜部に設けられており、前記第１の側面部の辺に対して外側に突出する第１の突出部と、前記第２の側面部の辺に対して外側に突出する第２の突出部と、を備え、
前記スパウトは、前記第１の突出部と前記第２の突出部に乗り上げた状態で支持されることを特徴とする請求項３に記載の外装容器。
【請求項５】
前記支持部は、前記第１の側面部の辺に対して内側に凹む第１の凹部と、前記第２の側面部の辺に対して内側に凹む第２の凹部と、を備えていることを特徴とする請求項３又は４に記載の外装容器。
【請求項６】
前記挿入用開口部の内側には、前記挿入用開口部における前記第１の側面部と前記第２の側面部とが離隔することを抑制する離隔抑制部が設けられていることを特徴とする請求項１〜５のいずれか一項に記載の外装容器。
【請求項７】
前記離隔抑制部は、前記第１の側面部の内側に取り付けられた第１の板状部と、前記第２の側面部の内側に取り付けられて前記第１の板状部に連結された第２の板状部と、を含むことを特徴とする請求項６に記載の外装容器。
【請求項８】
前記第１の側面部及び前記第２の側面部のそれぞれには、スリットが形成されていることを特徴とする請求項１〜７のいずれか一項に記載の外装容器。
【請求項９】
請求項１〜８のいずれか一項に記載された外装容器と、
対象物を収容する前記袋状容器と、
を備えたことを特徴とする充填容器。
【発明の詳細な説明】
【技術分野】
【０００１】
本発明は、スパウトを有する袋状容器を収容して自立させるための外装容器及び充填容器に関する。
【背景技術】
【０００２】
従来から、食品や洗剤等の液体や粉体等を収容するパウチ容器等の袋状容器を自立させる外装容器が知られている。特開２００２−２５５２４０号公報には、箱状の外装容器が記載されている。この外装容器は、底部に袋状容器を挿入するための挿入用開口部が形成されており、頂部にスパウトを露出させるための露出用開口部が形成されている。この外装容器には、頂部に対してスライド移動可能となっている保持体が設けられており、この保持体で露出させたスパウトを保持することが可能となっている。
【先行技術文献】
【特許文献】
【０００３】
【特許文献１】特開２００２−２５５２４０号公報
【発明の概要】
【発明が解決しようとする課題】
【０００４】
上述した外装容器では、スパウトを有する袋状容器を外装容器の下から挿入し、スパウトを露出用開口部から露出させた状態で保持体をスライド移動させることによって、スパウトが外装容器に保持される。このように、箱状の外装容器の下から袋状容器を挿入してスパウトを露出させた状態で保持体をスライド移動させなければならないので、その分手間が増え袋状容器の装着が面倒なものになりやすいという問題がある。
【０００５】
本発明は、このような問題に鑑みてなされたものであり、簡単に袋状容器の装着を行うことができる外装容器及び充填容器を提供することを目的とする。
【課題を解決するための手段】
【０００６】
本発明に係る外装容器は、スパウトを有する袋状容器を収容して自立させるための外装容器であって、第１の側面部と、第１の側面部に対向する第２の側面部と、第１の側面部と第２の側面部との間に位置する第１の側辺部と、第１の側面部と第２の側面部との間であって第１の側辺部の反対側に位置する第２の側辺部と、第１の側面部と第２の側面部との間に設けられて袋状容器を外装容器に挿入するための挿入用開口部と、第１の側辺部の下端よりも上方に設けられて外装容器からスパウトを露出させるためのスパウト用開口部と、を備えている。
【０００７】
本発明に係る外装容器は、袋状容器を挿入するための挿入用開口部が第１の側面部と第２の側面部との間に設けられており、スパウトを露出させるためのスパウト用開口部は第１の側辺部に設けられている。よって、挿入用開口部から袋状容器を外装容器に挿入し、袋状容器のスパウトをスパウト用開口部から露出させることによって、袋状容器を外装容器に収容すると共に袋状容器を自立させることができる。従って、外装容器への袋状容器の装着を簡単に行うことができる。また、スパウト用開口部は、第１の側辺部の下端よりも上方に設けられているので、スパウトを露出させたときに、スパウトがスパウト用開口部に引っ掛かることとなるので、スパウトを露出させた状態を簡単に維持することができる。更に、この外装容器は、第１の側面部と第２の側面部との間に第１の側辺部を有しており、第１の側面部と第２の側面部との間であって第１の側辺部の反対側に第２の側辺部を有している。よって、外装容器は、全体として第１の側面部及び第２の側面部を有する扁平な形状となっている。従って、片手で第１の側面部及び第２の側面部を掴むことにより簡単に外装容器を持つことができるので、この外装容器を持ちやすい形状とすることが可能となっている。
【０００８】
また、挿入用開口部は、第２の側辺部に設けられており、第１の側辺部は、第２の側辺部に対して斜めに傾斜する傾斜部と、傾斜部の下部から外装容器の下端にまで延在する延在部と、を有し、スパウト用開口部は、傾斜部に設けられている。このように、挿入用開口部は第２の側辺部に設けられており、スパウト用開口部は、第２の側辺部の反対側に位置する第１の側辺部の傾斜部に設けられている。よって、挿入用開口部から袋状容器を挿入して、挿入用開口部の反対側に位置するスパウト用開口部から簡単にスパウトを露出させることができる。従って、外装容器に対する袋状容器の装着をより簡単に行うことができる。
【０００９】
また、スパウト用開口部には、スパウトを露出させた状態で支持する支持部が設けられていてもよい。このように支持部が設けられていると、スパウト用開口部から露出したスパウトは支持部によって支持される。従って、外装容器に挿入された袋状容器において、スパウトをスパウト用開口部から露出した状態で安定して支持させることが可能となる。
【００１０】
また、支持部は、傾斜部に設けられており、第１の側面部の辺に対して外側に突出する第１の突出部と、第２の側面部の辺に対して外側に突出する第２の突出部と、を備え、スパウトは、第１の突出部と第２の突出部に乗り上げた状態で支持されてもよい。このように、スパウトを支持する支持部を第１の突出部と第２の突出部とで構成することによって、別途支持部材を設けた場合と比較して、支持部の構成を簡易にすることができる。また、スパウトは第１の突出部と第２の突出部に乗り上げた状態で支持されるので、２箇所に位置する第１及び第２の突出部によってスパウトの落ち込みを防止することができ、スパウトを安定した状態で支持することができる。
【００１１】
また、支持部は、第１の側面部の辺に対して内側に凹む第１の凹部と、第２の側面部の辺に対して内側に凹む第２の凹部と、を備えていてもよい。このようにスパウトを支持する支持部が第１の凹部及び第２の凹部を備えていると、スパウトを第１及び第２の側面部の辺に沿うように第１及び第２の凹部の位置に移動させることによって、スパウトが上記各辺から離間するので、スパウトを第１及び第２の側面部から簡単に外すことができる。従って、スパウトを支持部から簡単に外すことが可能となる。
【００１２】
また、挿入用開口部の内側には、挿入用開口部における第１の側面部と第２の側面部とが離隔することを抑制する離隔抑制部が設けられていてもよい。このように挿入用開口部における第１の側面部と第２の側面部との離隔を抑制する離隔抑制部が設けられていると、挿入用開口部から内容物によって円柱状に近い状態となっている袋状容器を挿入しても、挿入用開口部が過剰に開く事態を抑制することができる。従って、外装容器の持ちやすい形状を維持することができる。
【００１３】
また、離隔抑制部は、第１の側面部の内側に取り付けられた第１の板状部と、第２の側面部の内側に取り付けられて第１の板状部に連結された第２の板状部と、を含んでいてもよい。この場合、第１の側面部の内側に取り付けられた第１の板状部と、第２の側面部の内側に取り付けられて第１の板状部に連結された第２の板状部との間に、挿入された袋状容器が挟まれることとなる。従って、袋状容器の挿入によって第１の側面部と第２の側面部が離隔しようとしても、第１及び第２の板状部により当該離隔が抑えられる。従って、挿入用開口部が過剰に開く事態が抑制される。
【００１４】
また、第１の側面部及び前記第２の側面部のそれぞれには、スリットが形成されていてもよい。このように第１の側面部及び第２の側面部のそれぞれにスリットが形成されていると、スリットが形成されていない場合と比較して、第１の側面部と第２の側面部とが離隔しにくくなる。従って、外装容器の扁平な形状を維持することができる。
【００１５】
本発明に係る充填容器は、上記の外装容器と、対象物を収容する前記袋状容器と、を備えている。よって、挿入用開口部から袋状容器を外装容器に挿入し、袋状容器のスパウトをスパウト用開口部から露出させることによって、袋状容器を外装容器に収容すると共に袋状容器を自立させることができる。また、外装容器は、第１の側面部と第２の側面部との間に第１の側辺部を有しており、第１の側面部と第２の側面部との間であって第１の側辺部の反対側に第２の側辺部を有している。よって、外装容器は、全体として第１の側面部及び第２の側面部を有する扁平な形状となっているので、片手で第１の側面部及び第２の側面部を掴むことにより簡単に外装容器を持つことができる。従って、外装容器を有する充填容器を持ちやすい形状とすることが可能となっている。
【発明の効果】
【００１６】
本発明によれば、簡単に袋状容器の装着を行うことができる。
【図面の簡単な説明】
【００１７】
【図１】本発明に係る充填容器の一実施形態を示す斜視図である。
【図２】本発明に係る外装容器の一実施形態を示す側面図である。
【図３】図２の外装容器の支持部を拡大させた斜視図である。
【図４】図２のＡ−Ａ線断面図である。
【図５】図２の外装容器の挿入用開口部を示す側面図である。
【図６】図２の外装容器を示す底面図である。
【図７】図２の外装容器の底面部を示す断面図である。
【発明を実施するための形態】
【００１８】
以下、図面を参照しつつ、本発明に係る外装容器及び充填容器の実施形態について詳細に説明する。
【００１９】
図１に示されるように、液体用容器（充填容器）１００は、調味料や洗剤等の液体（対象物）を収容可能なパウチ状の袋状容器２０と、袋状容器２０を収容して袋状容器２０を自立させる外装容器１とを備えている。袋状容器２０は、液体を収容する袋体２１と、袋体２１の内部の液体を吐出させるためのスパウト２２とを備えている。袋状容器２０において、袋体２１は、水平方向に延びる上端辺２１ｄに対して約４５度傾斜し上端辺２１ｄから斜め下方に延在する傾斜部２１ｂを備えており、この傾斜部２１ｂにスパウト２２が設けられている。
【００２０】
袋体２１は、可撓性材料で構成されているので、内部に収容された液体の量に応じて膨張又は収縮する。スパウト２２は、袋体２１を封止する封止部２２ａと、回転することによって封止部２２ａに対して着脱自在となっている蓋部２２ｂとを備えている。封止部２２ａは、袋体２１の開口２１ａに固着された固着部２２ｃと、固着部２２ｃにおける袋体２１の反対側に位置する円板状のリング部２２ｄとを有する。なお、リング部２２ｄの形状は、後述する支持部８に支持される形状であれば、他の形状であってもよい。蓋部２２ｂは、スパウト本体に対して着脱自在となっている。
【００２１】
外装容器１は、第１の側面部２と、第１の側面部２に対向し第１の側面部２の反対側に位置する第２の側面部３とを備えている。第１の側面部２の形状と第２の側面部３の形状とは略同一となっており、第１の側面部２の丁度裏側に第２の側面部３が位置している。第１の側面部２と第２の側面部３とは、直線状に延びる第１の側辺部４と、直線状に延びる第２の側辺部５とを介して接続されている。また、第１の側面部２及び第２の側面部３は、板状を成す可撓性部材で構成されているので、外装容器１が掴みやすくなっている。
【００２２】
外装容器１は、１枚のシートを折り曲げることで製造することができる。外装容器１に使用されるシートの材質としては、例えばＰＰ、Ａ−ＰＥＴ、ＰＳ、ＰＶＣなどが挙げられる。外装容器１に使用されるシートの厚さは、例えば０．１〜２．０ｍｍであり、好ましくは０．２〜１．５ｍｍであり、より好ましくは０．２〜１．０ｍｍである。今回の材質はＰＰシートで厚み０．３ｍｍのものを使用した。
【００２３】
第１の側辺部４は、水平方向に延びる外装容器１の上端辺１ａに対して約４５度傾斜し外装容器１の上端辺１ａから斜め下方に延びる傾斜部４Ａと、傾斜部４Ａの下端から下方に延びる延在部４Ｂとを有する。延在部４Ｂには外装容器１の厚み方向の中央で屈曲されて、幅方向の外側に突出する角部が形成されている。この角部の頂部である折り目４ｂは外装容器1の長手方向に沿って延在している。このように、延在部４Ｂは、正面側の第１の側面部２の端部で屈曲され、延在部４Ｂの中央で屈曲され、背面側の第２の側面部３の端部で屈曲されることによって形成されている。このように複数回屈曲して延在部４Ｂを形成することで、外装容器１の側部である角部を緩やかな角度とすることができる。外装容器１の側部において、上下方向に延在する複数の折り目を形成することで、外装容器１の側部における剛性を高めて外装容器１の変形を抑制することができる。
【００２４】
傾斜部４Ａには、外装容器１に収容された袋状容器２０のスパウト２２を露出させるためのスパウト用開口部７が形成されている。また、傾斜部４Ａには、スパウト用開口部７から露出したスパウト２２を支持する支持部８が設けられており、この支持部８にスパウト２２のリング部２２ｄが載置されることによってスパウト２２が支持部８に支持される。スパウト用開口部７及び支持部８の斜め上方には、第１の側面部２と第２の側面部３とを跨いで接続する板状の接続部１３が設けられている。
【００２５】
図２及び図３に示されるように、支持部８は、傾斜部４Ａを成す第１の側面部２の辺２ｂに対して突出する第１の突出部８ａと、傾斜部４Ａを成す第２の側面部３の辺３ｂに対して突出する第２の突出部８ｂと、第１の突出部８ａの斜め下方で辺２ｂに対して凹む第１の凹部８ｃと、第２の突出部８ｂの斜め下方で辺３ｂに対して凹む第２の凹部８ｄとを備えている。第１の突出部８ａの丁度裏側に第２の突出部８ｂが設けられており、第１の凹部８ｃの丁度裏側に第２の凹部８ｄが設けられている。
【００２６】
図１に示されるように、スパウト２２におけるリング部２２ｄの下側には第１及び第２の突出部８ａ，８ｂを嵌め込むための凹部が形成されている。第１及び第２の突出部８ａ，８ｂにスパウト２２のリング部２２ｄが乗り上げて、リング部２２ｄの下側の凹部に第１及び第２の突出部８ａ，８ｂが嵌ることによって、スパウト２２が支持部８に支持される。
【００２７】
スパウト２２が支持部８に支持された状態において、スパウト２２を斜め下方に位置する第１及び第２の凹部８ｃ，８ｄ側に移動させると、スパウト２２のリング部２２ｄが支持部８から離間する。このように、スパウト２２を第１及び第２の凹部８ｃ，８ｄ側に移動させることによって、スパウト２２を支持部８から簡単に外すことができる。支持部８からスパウト２２を外した後は、スパウト２２を第１の側面部２と第２の側面部３との間に入れ込んで挿入用開口部６から袋状容器２０を引っ張ることにより、外装容器１から袋状容器２０を外すことができる。
【００２８】
第２の側辺部５は、上下に延びる直線状となっている。第２の側辺部５には、袋状容器２０を外装容器１に挿入するための挿入用開口部６が形成されている。挿入用開口部６は第２の側辺部５の上下に長く形成されているので、挿入用開口部６に横から袋状容器２０を挿入しやすくなっている。
【００２９】
図２及び図４に示されるように、第１の側面部２は第２の側辺部５で折り返された第１の折り返し部２ｅを有し、第２の側面部３は第２の側辺部５で折り返された第２の折り返し部３ｅを有する。第２の側辺部５の折り返し部２ｅ，３ｅが設けられた部分において第１及び第２の側辺部２，３は二重構造となっている。第１及び第２の折り返し部２ｅ，３ｅが設けられることによって第２の側辺部５が補強される。そして、第１及び第２の折り返し部２ｅ，３ｅが設けられることによって、第２の側辺部５の一部が厚くなると共に湾曲しているので、第２の側辺部５で手を切る事態を回避することも可能となる。
【００３０】
挿入用開口部６の下部には、第１の側面部２と第２の側面部３とを跨いで接続する板状の接続部１１が設けられている（図５参照）。この接続部１１によって挿入用開口部６の下部が過剰に開くことを防止している。接続部１１は、板状部材を山折りにすることによって形成され、第１の側面部２に接続される第１の片１１ａと、第２の側面部３に接続される第２の片１１ｂとを有する。
【００３１】
第１の側面部２は第１の側辺部４側で上下に延びるスリット２ａを有し、第２の側面部３も第１の側辺部４側で上下に延びるスリット３ａを有している。スリット２ａは、第１の側辺部４側で上下に直線状に延びる第１の辺２ｃと、第１の辺２ｃの上端及び下端のそれぞれから第２の側辺部５側に湾曲する第２の辺２ｄとで形成されている。第２の側面部３におけるスリット３ａの形状は第１の側面部２におけるスリット２ａの形状と同一であり、第１の側面部２におけるスリット２ａの裏面側に第２の側面部３のスリット３ａが形成されている。このようなスリット２ａ，３ａが形成されていることによって、挿入用開口部６の開きすぎが防止され、外装容器１の持ちやすい形状が維持される。
【００３２】
図２及び図５に示されるように、挿入用開口部６の内部には、挿入用開口部６が過剰に開くことを抑制する離隔抑制部９が設けられている。離隔抑制部９は、第１の側面部２の内面側で第１の側面部２に接続された第１の板状部９ａと、第２の側面部３の内面側で第２の側面部３及び第１の板状部９ａに接続された第２の板状部９ｂとを備えている。第１及び第２の板状部９ａ，９ｂは第１の側面部２と第２の側面部３の間で挟まれており、挿入用開口部６から外装容器１に挿入された袋状容器２０の一部は第１の板状部９ａと第２の板状部９ｂの間に挟み込まれる。
【００３３】
離隔抑制部９の第１の板状部９ａは、第１の側面部２が挿入用開口部６の内側に折り曲げられることによって形成されており、離隔抑制部９の第２の板状部９ｂは、第２の側面部３が挿入用開口部６の内側に折り曲げられることによって形成されている。また、折り曲げられた第１及び第２の板状部９ａ，９ｂは、第２の側辺部５から斜め上方に延び傾斜部４Ａに向かって延在しており、傾斜部４Ａの近傍で互いに連結されている。
【００３４】
図６及び図７に示されるように、外装容器１の底部には、外装容器１を自立させる底面部１２が設けられている。底面部１２は、内側に折りたたみ可能なガゼット形状に形成されている。底面部１２について、図６及び図７を参照しながら説明する。底面部１２は、第１の側面部２の下端を構成する第１の脚部１２Ａと、第２の側面部３の下端を構成する第２の脚部１２Ｂと、第１の側面部２の内側で揺動する掛け止め部１２Ｃと、掛け止め部１２Ｃの下面と第２の脚部１２Ｂの内側面とに接続された折り曲げ部１２Ｄとを備えている。折り曲げ部１２Ｄは、第１の脚部１２Ａと第２の脚部１２Ｂとの間で水平方向に延びる折り曲げ線１２ａに沿って折り曲げ自在となっている。掛け止め部１２Ｃは、第１の側面部２に接続する板状の部分であって、折り曲げ部１２Ｄに形成された孔部１２Ｅに掛け止められる。
【００３５】
図７（ａ）に示されるように、第１の側面部２と第２の側面部３とが近接し折り曲げ部１２Ｄの折り曲げ角度θが小さい場合には、掛け止め部１２Ｃの先端１２ｂは斜め上方を向き第２の側面部３の内面から離間している。一方、図７（ｂ）に示されるように、掛け止め部１２Ｃを押し下げて折り曲げ部１２Ｄの折り曲げ角度θを大きくすると、掛け止め部１２Ｃの先端１２ｂが斜め下方に揺動し、掛け止め部１２Ｃの先端１２ｂが折り曲げ部１２Ｄの内側面上を摺動すると共に掛け止め部１２Ｃが撓み、掛け止め部１２Ｃの先端１２ｂが孔部１２Ｅに掛け止められる。
【００３６】
このように掛け止め部１２Ｃの先端１２ｂが孔部１２Ｅに掛け止められることによって、第１の側面部２と第２の側面部３とが離隔した状態を維持できるので、第１の脚部１２Ａと第２の脚部１２Ｂとで外装容器１を自立させることができる。なお、底面部１２は、外装容器１の底部であるため、袋状容器２０を支持する。このため、袋状容器２０は、外装容器１の下方から脱落することがない。また、図１に示されるように、自立した外装容器１に対して挿入用開口部６から袋状容器２０を挿入し、袋状容器２０のスパウト２２をスパウト用開口部７から露出させ、スパウト２２を支持部８に支持させることによって、袋状容器２０を自立させることができる。
【００３７】
また、袋状容器２０と外装容器１と備えた液体用容器１００を使用する際には、スパウト２２の蓋部２２ｂを回して蓋部２２ｂをスパウト本体から外し、例えば片手で外装容器１を傾けるだけで袋状容器２０の内部における調味料や洗剤等を吐出させることができる。調味料や洗剤等の吐出が完了した後には、蓋部２２ｂを回して蓋部２２ｂをスパウト本体に取り付けることによって袋状容器２０を封止する。そして、スパウト２２で袋状容器２０を閉めた状態で袋状容器２０を自立させておくことができる。
【００３８】
以上、外装容器１及び外装容器１を備えた液体用容器１００では、袋状容器２０を挿入するための挿入用開口部６が第１の側面部２と第２の側面部３との間に設けられており、スパウト２２を露出させるためのスパウト用開口部７が第１の側辺部４の傾斜部４Ａに設けられている。よって、挿入用開口部６から袋状容器２０を外装容器１に挿入し、袋状容器２０のスパウト２２をスパウト用開口部７から露出させることによって、袋状容器２０を外装容器１に収容すると共に袋状容器２０を自立させることができる。また、スパウト用開口部７は、第１の側辺部４の下端よりも上方に設けられており、スパウト２２を露出させたときに、スパウト２２がスパウト用開口部７に引っ掛かることとなるので、スパウト２２を露出させた状態を簡単に維持することができる。
【００３９】
また、外装容器１は、第１の側面部２と第２の側面部３の間に第１の側辺部４を有しており、第１の側面部２と第２の側面部３との間であって第１の側辺部４の反対側に第２の側辺部５を有している。よって、外装容器１は、全体として第１の側面部２及び第２の側面部３を有する扁平な形状となっている。従って、片手で第１の側面部２及び第２の側面部３を掴むことにより簡単に外装容器１を持つことができ、外装容器１が持ちやすい形状となっている。
【００４０】
また、挿入用開口部６は、第２の側辺部５に設けられており、第１の側辺部４は、第２の側辺部５に対して斜めに傾斜する傾斜部４Ａと、傾斜部４Ａの下部から外装容器１の下端にまで延在する延在部４Ｂとを有し、スパウト用開口部７は傾斜部４Ａに設けられている。よって、挿入用開口部６から袋状容器２０を挿入して、挿入用開口部６の反対側に位置するスパウト用開口部７から簡単にスパウト２２を露出させることができる。従って、外装容器１に対する袋状容器２０の装着をより簡単に行うことができる。
【００４１】
また、スパウト用開口部７には、スパウト２２を露出させた状態で支持する支持部８が設けられている。従って、外装容器１に挿入された袋状容器２０において、スパウト２２をスパウト用開口部７から露出させた状態で安定して支持させることが可能となる。
【００４２】
また、図３に示されるように、支持部８は、第１の側面部２の辺２ｂに対して外側に突出する第１の突出部８ａと、第２の側面部３の辺３ｂに対して外側に突出する第２の突出部８ｂとを備えている。よって、別途支持部材を設けた場合と比較して、支持部８が簡易な構成となっている。また、スパウト２２は、第１及び第２の突出部８ａ，８ｂに乗り上げた状態で支持されるので、２箇所に位置する第１及び第２の突出部８ａ，８ｂによってスパウト２２の落ち込みを防止することができ、スパウト２２を安定した状態で支持することができる。
【００４３】
支持部８は、第１の側面部２の辺２ｂに対して内側に凹む第１の凹部８ｃと、第２の側面部３の辺３ｂに対して内側に凹む第２の凹部８ｄとを備えている。また、スパウト２２を辺２ｂ，３ｂに沿うように第１及び第２の凹部８ｃ，８ｄの位置に移動させることによってスパウト２２が辺２ｂ，３ｂのそれぞれから離間するので、スパウト２２を第１及び第２の側面部２，３から簡単に外すことができる。従って、スパウト２２を支持部８から簡単に外すことが可能となる。
【００４４】
図５に示されるように、挿入用開口部６における第１の側面部２と第２の側面部３との離隔を抑制する離隔抑制部９が設けられている。よって、挿入用開口部６から、内容物によって円柱状に近い状態となっている袋状容器２０を挿入しても、挿入用開口部６が過剰に開く事態を抑制することができ、外装容器１の持ちやすい形状を維持することができる。また、離隔抑制部９は、第１の側面部２の内側に取り付けられた第１の板状部９ａと、第２の側面部３の内側に取り付けられて第１の板状部９ａに連結された第２の板状部９ｂとを含んでいる。そして、第１の板状部９ａと第２の板状部９ｂとの間に、挿入された袋状容器２０が挟まれることとなる。従って、袋状容器２０を挿入しても、第１及び第２の板状部９ａ，９ｂによって第１の側面部２と第２の側面部３との離隔が抑えられるので、挿入用開口部６が過剰に開く事態が抑制される。
【００４５】
図４に示されるように、第１の側面部２及び第２の側面部３のそれぞれにスリット２ａ，３ａが形成されている。よって、スリット２ａ，３ａが形成されていない場合と比較して、第１の側面部２と第２の側面部３とが離隔しにくくなる。従って、外装容器１の扁平な形状を維持することができる。
【００４６】
本発明は、上述した実施形態に限定されず、本発明の要旨を変更しない範囲で種々の変形が可能である。
【００４７】
上記実施形態では、外装容器１が第１の側辺部４と第２の側辺部５とを備えており第１の側辺部４が第２の側辺部５に対して傾斜する傾斜部４Ａを有していた。しかし、外装容器の形状は上記に限定されない。また、袋状容器２０の袋体２１は、上端辺２１ｄに対して約４５度傾斜し上端辺２１ｄから斜め下方に延在する傾斜部２１ｂを備えており、この傾斜部２１ｂにスパウト２２が設けられていたが、袋状容器の形状も適宜変更可能である。
【００４８】
第２の側辺部５に挿入用開口部６が設けられていたが、挿入用開口部が設けられる位置は第２の側辺部５に限定されない。例えば、挿入用開口部を外装容器の上端又は下端に設けることも可能である。
【００４９】
上記実施形態では、支持部８が突出部８ａ，８ｂと凹部８ｃ，８ｄとを備えていたが、支持部の構成は上記実施形態に限定されない。また、離隔抑制部９が第１の板状部９ａと第２の板状部９ｂとを備えていたが、離隔抑制部の構成も上記実施形態に限定されず適宜変更可能である。
【００５０】
また、第１の側面部２及び第２の側面部３には、それぞれスリット２ａ，３ｂが形成されていたが、スリットの形状を変更してもよい。また、スリットを省略してもよい。
【００５１】
また、上記実施形態では、袋状容器２０に収容される対象物を液体とし、袋状容器２０を備える液体用容器（充填容器）１００について説明しているが、袋状容器に収容される対象物は、液体に限定されず、例えば、粉体、粒体、固体、粘性体等、その他の物でもよい。
【符号の説明】
【００５２】
１…外装容器、２…第１の側面部、２ａ…スリット、２ｂ…辺、３…第２の側面部、３ａ…スリット、３ｂ…辺、４…第１の側辺部、４Ａ…傾斜部、４Ｂ…延在部、５…第２の側辺部、６…挿入用開口部、７…スパウト用開口部、８…支持部、８ａ…第１の突出部、８ｂ…第２の突出部、８ｃ…第１の凹部、８ｄ…第２の凹部、９…離隔抑制部、９ａ…第１の板状部、９ｂ…第２の板状部、２０…袋状容器、２２…スパウト、１００…液体用容器（充填容器）。
【図１】
2015202878.tif 000003
【図２】
2015202878.tif 000004
【図３】
2015202878.tif 000005
【図４】
2015202878.tif 000006
【図５】
2015202878.tif 000007
【図６】
2015202878.tif 000008
【図７】
2015202878.tif 000009